(57)【要約】      （修正有）【課題】半画角４０度以上の広画角を達成でき、長いバックフォーカスと縮小側に高いテレセントリック性を持ち、倍率色収差が十分小さく補正された投射用レンズの提供。【解決手段】拡大側から順に、負の第１レンズ群Ｉ、開口絞りＳＴ、正の第２レンズ群IIを配し、縮小側にテレセントリックであり、第２レンズ群IIが、拡大側から順に、縮小側に大きな曲率を持つ第１の負レンズと拡大側に大きな曲率を持つ第１の正レンズとの接合レンズ、拡大側に大きな曲率を持つ第２の正レンズの構成から始まり、且つ、第２の正レンズよりも縮小側に、１または２枚のアッベ数の小さい負レンズが単独で、もしくはアッベ数がより大きい正レンズとの接合レンズとして配され、第１の負レンズの屈折率：Ｎ1、第１の正レンズの屈折率：Ｎ2、第２の正レンズのアッベ数：νII3が条件：（１）  ０．１３＜Ｎ1−Ｎ2＜０．２０  （２）  １５＜νII3＜３０を満足する。【選択図】                  図１
2006243019.tif 000002
【特許請求の範囲】
【請求項１】
拡大側から縮小側に向かって、負の屈折力を持つ第１レンズ群、開口絞り、正の屈折力を持つ第２レンズ群を上記順序に配してなり、縮小側にテレセントリックであり、
上記第２レンズ群が、拡大側から順に、縮小側に大きな曲率を持つ第１の負レンズと拡大側に大きな曲率を持つ第１の正レンズの２枚が張り合わされた接合レンズ、拡大側に大きな曲率を持つ第２の正レンズからなる構成から始まり、
且つ、上記第２の正レンズよりも縮小側に、１または２枚のアッベ数の小さい負レンズが単独で、もしくはアッベ数がより大きい正レンズと張り合わせられた接合レンズとして配され、
上記第１の負レンズの屈折率：Ｎ1、上記第１の正レンズの屈折率：Ｎ2、上記第２の正レンズのアッベ数：νII3が条件：
（１）  ０．１３  ＜  Ｎ1−Ｎ2  ＜  ０．２０
（２）  １５  ＜  νII3  ＜  ３０
を満足することを特徴とする投射用レンズ。
【請求項２】
請求項１記載の投射用レンズにおいて、
第２レンズ群内の第２の正レンズの、部分分散比：θgF、アッベ数：νII3が条件：
（３）  ０  ＜θgF−(０．６４３８−０．００１６８２νII3)＜  ０．０４
を満足することを特徴とする投射用レンズ。  
【請求項３】
請求項１または２記載の投射用レンズにおいて、
拡大側の共役点が無限遠の時の空気中におけるバックフォーカス：Ｂｆ、全系の焦点距離：ｆ、第１レンズ群の焦点距離：ｆ１が条件：
（４）  ４．０  ＜  Ｂｆ／ｆ  ＜  ６．８
（５）  ２．４  ＜｜ｆ１／ｆ｜＜  ３．０
を満足することを特徴とする投射用レンズ。
【請求項４】
請求項１〜３の任意の１に記載の投射用レンズにおいて、
第２レンズ群は、１枚の負の屈折力を持つプラスチックレンズを含み、該プラスチックレンズの焦点距離：ｆP、第２レンズ群の焦点距離：ｆ２が、条件：
（６）  ２．５  ＜｜ｆP／ｆ２｜＜  ５．０
を満足することを特徴とする投射用レンズ。
【請求項５】
請求項４に記載の投射用レンズにおいて、
第２レンズ群内の負の屈折力を持つプラスチックレンズは、片面もしくは両面が非球面であることを特徴とする投射用レンズ。
【請求項６】
請求項１〜５の任意の１に記載の投射用レンズにおいて、
第１レンズ群が、拡大側から順に、メニスカス形状で両面が非球面の第１の負レンズ、メニスカス形状の第２の負レンズからなる構成からはじまることを特徴とする投射用レンズ。
【請求項７】
請求項６記載の投射用レンズにおいて、
第１レンズ群内の最も拡大側に配置された第１の負レンズがプラスチック製であることを特徴とする投射用レンズ。
【請求項８】
請求項７記載の投射用レンズにおいて、
第１レンズ群内の第１と第２の負レンズ間の空気層を通る主光線の光路長さが、像高の増加に従い大きくなることを特徴とする投射用レンズ。
【請求項９】
請求項１〜８の任意の１に記載の投射用レンズを搭載してなる投射型画像表示装置。
【発明の詳細な説明】
【技術分野】
【０００１】
この発明は、投射用レンズおよび投射型画像表示装置に関する。
【背景技術】
【０００２】
赤・緑・青の各色画像を３枚のパネル（液晶ライトバルブ等）に個別的に表示し、各色画像を合成して透過型スクリーンの背面から広画角で拡大投射表示する「リアプロジェクタ」は装置が薄型で、大画面の表示画像が高精細であるところから、一般のＴＶ放送、ビデオ再生画像やコンピュータの表示機器として広く普及している。なかでも反射型パネルを用いるものは、その構造上、透過型パネルを用いるものよりも画素を小さく高精細にできるため、更なる普及が見込まれている。
【０００３】
「反射型パネルを用いたリアプロジェクタ」は一般に、白色光源からの光を、色分離光学系により赤・緑・青の各色に分離して各反射型パネルへ導き、各反射型パネルで反射する光（各パネルに表示された画像により２次元的に変調されている）を色合成光学系により合成して投射用レンズに入射させるようになっている。
【０００４】
このため、赤・緑・青の各色を反射型パネルへ導くＰＢＳ（偏光ビームスプリッタ）と「色合成光学系としてのプリズム等の光学部品」とを投射用レンズと反射型パネルの間に配置する必要があり、投射用レンズには「長いバックフォーカス」が必要とされる。
【０００５】
また、反射型パネルから色合成光学系に入射する光線の角度が変化すると、それに応じて色合成光学系の分光透過率が変化するので、投射されたカラー画像における各色の明るさが画角により変化して見づらい画像になるので、投射用レンズは「主光線の角度が縮小側において光軸と略平行になるテレセントリックな性質」を持つことが好ましい。
【０００６】
「長いバックフォーカスを持ち、縮小側がテレセントリックである投射用レンズ」として、従来から、拡大側から順に「負の屈折力のレンズ群」と「正の屈折力のレンズ群」が配置される所謂「レトロフォーカスタイプ」のものが知られている（特許文献１〜４）。
【０００７】
このタイプの投射用レンズは、開口絞りを中心として拡大側と縮小側の屈折力配分が非対称であるため歪曲収差、倍率色収差の発生が顕著となりやすい。
【０００８】
【特許文献１】特開２００３−５０６９
【特許文献２】特開２００３−１９５１６４
【特許文献３】特開２００４−３５４４０５
【特許文献４】特開２００５−００４０７４
【発明の開示】
【発明が解決しようとする課題】
【０００９】
この発明は、レトロフォーカスタイプで半画角：４０度以上の広画角を達成でき、長いバックフォーカスと「縮小側の高いテレセントリック性」を持ち、なおかつ、倍率色収差を十分に小さく補正された投射用レンズの実現を課題とする。この発明はまた、この投射用レンズを用いることにより高精細な投射画像を表示できる投射型画像表示装置の実現を課題とする。
【課題を解決するための手段】
【００１０】
この発明の投射用レンズは図１に例示するように、拡大側（図の左方）から縮小側（図の右方）に向かって、負の屈折力を持つ第１レンズ群Ｉ、開口絞りＳＴ、正の屈折力を持つ第２レンズ群ＩＩを上記順序に配してなるレトロフォーカスタイプであり、縮小側にテレセントリックである。図１における符号Ｐは「赤・緑・青の各色を反射型パネルへ導くＰＢＳと色合成光学系であるプリズムとを合わせて」示しており、符号ＲＰは赤・緑・青の各画像を表示する反射型パネルを１枚に簡略化して示している。
【００１１】
第２レンズ群ＩＩは「拡大側の３枚」が、負レンズ（第１の負レンズ）・正レンズ（第１の正レンズ）・正レンズ（第２の正レンズ）で構成され、第１の負レンズは「縮小側に大きな曲率」を持つ。第１の正レンズは「拡大側に大きな曲率」を持ち、第１の負レンズの縮小側に貼り合せられている。即ち、第２レンズ群の最も拡大側は「第１の負レンズと第１の正レンズとの接合レンズ」である。第１の正レンズに続く第２の正レンズは「拡大側に大きな曲率」を持つ。
【００１２】
即ち、第２レンズ群は、拡大側から縮小側へ向かって上記「第１の負レンズ・第１の正レンズ・第２の正レンズからなる構成」で始まる。
【００１３】
第２レンズ群の上記第２の正レンズよりも縮小側には、１または２枚のアッベ数の小さい負レンズが配置される。これら１または２枚の「アッベ数の小さい負レンズ」は、単独で、もしくは「アッベ数がより大きい正レンズと張り合わせられた接合レンズ」として配置される。これら「１枚または２枚のアッベ数が小さい負レンズ」は、倍率色収差の補正用に用いられるものである。これらアッベ数の小さい負レンズのアッベ数は、好ましくは４５以下である。
【００１４】
第１の負レンズの屈折率：Ｎ1、第１の正レンズの屈折率：Ｎ2、第２の正レンズのアッベ数：νII3は条件：
（１）  ０．１３  ＜  Ｎ1−Ｎ2  ＜  ０．２０
（２）  １５  ＜  νII3  ＜  ３０
を満足する。
【００１５】
請求項１記載の投射用レンズは、第２レンズ群内における第２の正レンズの部分分散比：θgF、アッベ数：νII3が条件：
（３）  ０  ＜θgF−(０．６４３８−０．００１６８２νII3)＜  ０．０４
を満足することが好ましい（請求項２）。  
請求項１または２記載の投射用レンズはまた、拡大側の共役点が無限遠の時の空気中におけるバックフォーカス：Ｂｆ、全系の焦点距離：ｆ、第１レンズ群の焦点距離：ｆ１が条件：
（４）  ４．０  ＜  Ｂｆ／ｆ  ＜  ６．８
（５）  ２．４  ＜｜ｆ１／ｆ｜＜  ３．０
を満足することが好ましい（請求項３）。
【００１６】
請求項１〜３の任意の１に記載の投射用レンズは、第２レンズ群が「１枚の負の屈折力を持つプラスチックレンズ」を含み、該プラスチックレンズの焦点距離：ｆP、第２レンズ群の焦点距離：ｆ２が条件：
（６）  ２．５  ＜｜ｆP／ｆ２｜＜  ５．０
を満足する構成とすることができる（請求項４）。この場合、第２レンズ群内の上記「負の屈折力を持つプラスチックレンズ」は、片面もしくは両面が非球面であることが好ましい（請求項５）。
【００１７】
請求項１〜５の任意の１に記載の投射用レンズの第１レンズ群は、図１に例示するように「拡大側から順に、メニスカス形状で両面が非球面の第１の負レンズ、メニスカス形状の第２の負レンズからなる構成」から始まる構成とすることができる（請求項６）。図１の例では、第２の負レンズの縮小側に凹レンズが配置されている。
【００１８】
第１レンズ群の構成は、後述する実施例に示されたように「３枚の負レンズ」で構成するのが好適である。実施例１〜５では、第１レンズ群を構成する３枚の負レンズは、何れも、曲率の強い凹面を縮小側に向けた負レンズであり、拡大側から数えた第１枚目は光軸近傍が両凹形状で全体の形状がメニスカス形状、第２枚目のレンズは負メニスカスレンズ、第３番目のレンズは両凹レンズである。
【００１９】
上記請求項６記載の投射用レンズにおける「第１レンズ群内の最も拡大側に配置された第１の負レンズ」はプラスチック製であることができ（請求項７）、この場合において第１レンズ群内の「第１と第２の負レンズ間の空気層」を通る主光線の光路長さが、像高の増加に従い大きくなることが好ましい（請求項８）。
【００２０】
また、上記請求項１〜８の任意の１に記載の投射用レンズにおける第２レンズ群のレンズ構成は、上記の如く「拡大側の３枚」が第１の負レンズ・第１の正レンズ・第２の正レンズで構成され、第１の負レンズは第１の正レンズと貼り合せられており、第２の正レンズの縮小側に１または２枚のアッベ数の小さい負レンズが配置されるが、第２レンズ群の具体的なレンズ構成としては、後述の実施例に示すように、拡大側から縮小側へ向かって「負正（接１）・正・負正（接２）・負・正負（接３）・正・正」の構成（実施例１〜４）や「負正（接１）・正・正・正負（接４）・正・正」のパワー配置によるのが好適である。
【００２１】
上の説明で「接１」は上記第１の負レンズと第１の正レンズとの接合レンズである。  
また、「接２」〜「接４」は、上述した「アッベ数の小さい負レンズとアッベ数がより大きい正レンズとを張り合わせた接合レンズ」であり、倍率色収差の補正用である。  
この発明の投射型画像表示装置は、上記請求項１〜８の任意の１に記載の投射用レンズを搭載してなるものである（請求項９）。
【００２２】
説明を補足すると、広い画角を有する投射用レンズでは、焦点距離を短くする必要があるが「レンズ面間隔・曲率半径をそのまま小さくして焦点距離を短くしていく」とバックフォーカスも短くなる。
【００２３】
「反射型パネルを用いたリアプロジェクタ」に用いられるレトロフォーカスタイプの投射用レンズには、ＰＢＳ、色合成プリズム等を配置できる「長いバックフォーカス」が要求されるので、「焦点距離に対するバックフォーカスの比率（所謂「レトロ比」）」を大きな値にしなければならない。
【００２４】
この発明の投射用レンズで目指している「半画角：４０度以上の広い画角」を実現するためには、レトロ比として一般に４以上が必要であるが、レトロ比が大きくなると「開口絞りを中心として拡大側と縮小側の屈折力配分」の非対称性も大きくなる。反射型パネルを用いたリアプロジェクタ用の投射用レンズでは、上記の如く「縮小側にテレセントリックな性質」が要求されるので、縮小側の正レンズ群の屈折力はさらに大きい値を要求され、屈折力配分の非対称性も顕著となり、歪曲収差、倍率色収差の補正が困難である。
【００２５】
倍率色収差の発生を小さく抑えるには「アッベ数の大きいガラス」によるレンズでレンズ系を構成することが基本となるが、アッベ数が大きくても「ｄ線よりも波長の短いｇ線、Ｆ線」等の光線が「屈折によりｄ線よりも大きく曲がる性質」は変わらないので、倍率色収差が十分に小さい投射用レンズを得ることは容易ではない。
【００２６】
一般に「レトロフォーカスタイプ」の投射用レンズでは、縮小側の正のレンズ群中にアッベ数の小さい負レンズを付加し、この負レンズにより「正レンズと逆の倍率色収差」を発生させ、正レンズによる倍率色収差と相殺させて全体として倍率色収差を小さくすることが行われている。しかし、アッベ数の小さいガラスは部分分散比が大きく、たとえＦ線に対する倍率色収差を相殺させて十分小さく補正しても、Ｆ線より波長の短いｇ線では補正過剰になり「逆方向の倍率色収差」を発生させてしまう。
【００２７】
このように、倍率色収差の補正という観点から見ても、広画角と大きなレトロ比を両立させた投射用レンズの実現は困難であった。
【００２８】
この発明の投射用レンズは、正の屈折力を持つ第２レンズ群中に「縮小側に大きな曲率を持つ第１の負レンズと拡大側に大きな曲率を持つ第１の正レンズとの接合レンズ、拡大側に大きな曲率を持つ第２の正レンズからなる構成」を有することにより、倍率色収差を小さいものにしている。
【００２９】
拡大側の１点から投射用レンズに入射し、第１レンズ群の縮小側に射出（スクリーン上の一点からパネルに進む光線を考える。）したｇ線、Ｆ線は、より波長の長いｄ線より光軸側を進むが、第２レンズ群中の第２の正レンズの縮小側に「倍率色収差の補正用として付加されるアッベ数の小さい負レンズ」により、波長の短いｇ線は逆に補正過剰となってｄ線より光軸から離れて進む。
【００３０】
この発明の投射用レンズでは、条件（２）を満足する「第２レンズ群中の第２の正レンズ」を配することにより、補正過剰のｇ線を「ｄ線より光軸側に曲げる作用」を与え、上記の「補正過剰で発生する倍率色収差」を小さいものとしている。
【００３１】
第２の正レンズのアッベ数：νII3が、条件（２）の上限を超えると、補正過剰で発生する「波長の短い光線の倍率色収差」を小さく抑えることが難しくなる。また、条件（２）の下限を超えると、目的の収差補正は可能であるが、現実にはそのような光学ガラスは知られていない。仮に在ったとしても高価なものになってしまうであろう。
【００３２】
第２レンズ群における「第１の負レンズと第１の正レンズを貼り合わせた接合レンズ」は、第２の正レンズの強い屈折力により発生する球面収差、コマ収差、非点収差を補正するためのものである。この接合レンズを「第２の正レンズより開口絞り側」に配することにより、接合レンズにおける主光線の高さ（光軸からの距離）が小さくなり、軸外の収差である倍率色収差に対しては影響が小さい。このため、接合レンズは第２の正レンズの効果を損ねることなく球面収差、コマ収差、非点収差を補正できる。また、この接合レンズのアッベ数を適宜に選ぶことにより軸上色収差も補正が可能である。
【００３３】
条件（１）の上限を超えると、第１の負レンズと第１の正レンズの屈折率差：Ｎ1−Ｎ2が大きくなるので、貼り合わせ面で所望の屈折効果を得ようとすると、貼り合わせ面の曲率が小さくなり諸収差の補正が難しくなる。また、条件（１）の下限を超えると、貼り合わせ面の曲率が大きくなり過ぎ、レンズ製作が困難になる。
【００３４】
レンズの材料となる光学ガラスの屈折率は光の波長で異なり、短い波長になるほど屈折率は大きい。また「波長が短くなるにつれて屈折率の大きくなる度合い」も、各光学ガラスの種類で異なっている。
【００３５】
ｇ線（４３５．８３ｎｍ）に対する屈折率をＮｇ、
Ｆ線（４８６．１３ｎｍ）に対する屈折率をＮＦ、
Ｃ線（６５６．２７ｎｍ）に対する屈折率をＮＣ、
ｄ線（５８７．５６ｎｍ）に対するアッベ数をνd、
とし、ｇ線−Ｆ線間の屈折率の大きくなる度合いをθgFとすると、θgFは、
θgF＝（Ｎｇ−ＮＦ）／（ＮＦ−ＮＣ）
で表わされ、「部分分散比」と呼ばれている。
【００３６】
「部分分散比：θgFを縦軸、アッベ数：νdを横軸にとった座標系」において各光学ガラスの（νd,θgF）値をプロットすると、その多くは直線上に分布し、これらの光学ガラスは「正常分散ガラス」と呼ばれている。上記座標系上で「正常分散ガラスを代表する２つの光学ガラスの座標を結んだ１本の直線」を標準線とすると、座標点が標準線から比較的大きく離れた光学ガラスも多少存在し、これらは「異常分散ガラス」と呼ばれている。
【００３７】
異常分散ガラスの「標準線からのずれ量」は「異常分散度」と呼ばれ、
θgF−(０．６４３８−０．００１６８２νｄ)  
で定義される。この発明の投射用レンズは、第２レンズ群内に配された第２の正レンズの材料(部分分散比：θgF、アッベ数：νd＝νII3)を、その異常分散度が条件（３）を満足するように適宜に選ぶことで、さらに倍率色収差を良好に補正することを可能としている。
【００３８】
パラメータ：θgF−(０．６４３８−０．００１６８２νII3)が条件（３）の下限を超えると第２の正レンズにおける「波長の短い光線に対する屈折率の大きくなる度合い」が小さくなり「補正過剰で発生する倍率色収差を打ち消す効果」が弱くなる。条件（３）の上限を超えると、収差補正の効果は大きくなるが、条件（２）を満たす範囲内でそのような光学ガラスは知られていない。
【００３９】
上記条件（４）は、所望の「大きな画角」を保持しつつ、反射型パネルを用いたリアプロジェクタの投射用レンズに必要にして十分なバックフォーカス確保するための条件である。
【００４０】
半画角：４０度以上の広画角を保持しつつ条件（４）の下限を超えると、バックフォーカス：Ｂｆが短くなり、投射用レンズと反射型パネルの間に、ＰＢＳ、色合成プリズム等の光学系を配置するのが困難になる。また、所望の「十分なバックフォーカス」を保持しつつ条件（４）の上限を超えると、全系の焦点距離：ｆが小さくなり、諸収差の補正が困難になってしまう。
【００４１】
条件（５）は、十分に長いバックフォーカスと、良好な光学性能とを両立させるための条件である。パラメータ：｜ｆ１／ｆ｜が条件（５）の上限を超えると｜ｆ１｜が大きくなり過ぎて第１レンズ群の負の屈折力が小さくなり、所望のバックフォーカスを得るのが困難になる。条件（５）の下限を越えると、バックフォーカスは十分に確保できるが｜ｆ１｜が小さくなり過ぎて第１レンズ群の負の屈折力が過大になり、コマ収差、像面湾曲等の収差を良好に保つのが困難になる。
【００４２】
第２レンズ群は、倍率色収差の発生を抑えるため「縮小側に配置される正レンズのアッベ数が大きい」ことが望ましいが、さらに、異常分散性を大きくすると前述の補正過剰で発生する倍率色収差に対しても効果的である。
【００４３】
この発明の投射用レンズも、第２レンズ群の縮小側にはアッベ数、異常分散性の大きいガラスを材料とした正レンズを使用している。  
アッベ数、異常分散性が大きいガラスは通常の光学ガラスに比して「温度による屈折率変化」が大きく、投射用レンズにおいては「温度によるピント位置の変化」という問題が生じる。「温度による屈折率変化の方向」も通常の光学ガラスと逆で、この性質は「温度によるピント位置の変化」に深刻な影響を与える。
【００４４】
第２レンズ群に配されるアッベ数の小さい負レンズは、温度が上昇すると屈折率は増加するので負の屈折力も増加する。しかし、アッベ数、異常分散性の大きい正レンズは温度が上昇すると屈折率は減少し、正の屈折力も減少する。
【００４５】
このため、投射用レンズ全体としての屈折力は温度が上昇すると正・負レンズの影響が重なり、「温度によるピント位置の変化」は大きなものとなる。
【００４６】
リアプロジェクタの投射用レンズは、プロジェクタの筐体内に設置された後、筐体内に密閉されるのでピント位置の再調整が機構的に難く、ピント位置の変化には十分配慮する必要がある。
【００４７】
条件（６）はこの点を鑑みて、第２レンズ群内に負の屈折力を持つプラスチックレンズを配置し「温度によるピント位置の変化」を規制するための条件である。
【００４８】
光学プラスチック材料として、ＰＭＭＡ（メタクリル樹脂）、ＣＯＰ（シクロオレフィン樹脂）等が知られているが、これらのプラスチックの屈折率は温度が上昇すると減少する。
【００４９】
第２レンズ群内に配置された負のプラスチックレンズは、温度が上昇すると屈折率が減少するので負の屈折力も減少し、アッベ数・異常分散性の大きい正レンズにおける「温度上昇に伴う正の屈折力の減少」を打ち消す作用を奏する。
【００５０】
条件（６）のパラメータ：｜ｆP／ｆ２｜が、上限を超えると、プラスチックレンズの屈折力が小さくなり「温度変化に伴う屈折力変動の相殺」の作用も小さくなってしまう。また、下限を超えると、プラスチックレンズの屈折力が大きくなり「温度変化に伴う屈折力変動の相殺」の作用が大きくなり過ぎる。
【００５１】
請求項５記載の投射用レンズでは、プラスチックレンズの加工性が容易であることを利用して、第２レンズ群中に配されるプラスチックレンズに非球面を持たせて高い光学性能を実現できるようにしている。
【００５２】
前述の如く、レトロフォーカスタイプの投射用レンズの屈折力配分は、レンズ中心（開口絞り位置）から見ると非対称であり、歪曲収差が大きく発生し易い。  
請求項６記載の投射用レンズでは、軸外の主光線の高さが他のレンズに比べて大きい、第１レンズ群の最も拡大側に非球面レンズを配置することで、歪曲収差を効果的に補正している。
【００５３】
請求項７記載の投射用レンズでは、第１レンズ群内の非球面レンズを、安価で成型の容易なプラスチック材料による「プラスチック非球面レンズ」として低コスト化を可能としている。
【００５４】
投射用レンズによる投射画像の画像品質を劣化させる原因の一つとして、光線がレンズ面同士で多重反射し、スクリーン上に映りこむ所謂ゴースト、フレアがある。ゴースト、フレアが発生すると、投射画像のコントラストが下がり見づらいものになる。従来、一般に、ゴーストやフレアを防ぐ手段として、レンズの各面に反射率を下げるコーティングを施すことが行われているが、コーティング後の反射率として要求されるのは０．３％程度とかなり小さい。
【００５５】
ガラスレンズに対しては良好な反射防止膜のコーティングが可能であるが、プラスチックレンズに対しては、耐熱性の弱さから、理想的なプロセス温度でコーティングを行うことができず「小さい反射率のコーティング」の実現は難しい。したがって、プラスチックレンズを搭載した投射用レンズは、プラスチック面で反射する光線の進み方に十分注意する必要がある。
【００５６】
請求項８記載の投射用レンズは、第１レンズ群のプラスチックレンズの縮小側に隣り合うレンズ面の曲率を大きくし、これらのレンズ間の空気層を通る主光線の光路長さを、像高の増加に従い大きくしてゴースト、フレアの発生を回避している。
【００５７】
図２１、図２２に、第１レンズ群Ｉのプラスチックレンズで反射し、縮小側に隣り合うレンズ面で再度反射してスクリーンへ進む光線の光路を示している。
【００５８】
請求項８記載の投射用レンズは、図２１に示したように反射光の多くはプラスチックレンズ（図の最もスクリーン側のレンズ）の外周部に当たってスクリーンに到達できずゴースト、フレアの発生する可能性が少なくなっている。
【００５９】
請求項８の条件を満たさないレンズでは、図２２に示すように、プラスチックレンズの縮小側に隣り合うガラスレンズの曲率が小さく、反射した光線はそのままスクリーンへ向かってしまいゴースト、フレアが発生しやすい投射用レンズとなっている。
【発明の効果】
【００６０】
以上に説明したように、この発明によれば後述する具体的な実施例のように、半画角：４０度以上の広画角で長いバックフォーカスを持ち、縮小側が高いテレセントリック性を有し、倍率色収差が小さく、性能良好な投射用レンズおよびこれを搭載した投射型画像表示装置を実現できる。
【発明を実施するための最良の形態】
【００６１】
以下、実施の形態として、投射用レンズの具体的な実施例を５例挙げる。
【００６２】
各実施例中、「Ｓ」により拡大側から数えた面番号を表し、「Ｒ」により各面（開口絞りＳＴの面およびＰＢＳ、色合成光学系であるプリズムＰの面を含む）の曲率半径（非球面にあっては近軸曲率半径）を表し、「Ｄ」により光軸上の面間隔を表す。また、「Ｎｄ」及び「νｄ」により、各レンズの材質のｄ線に対する「屈折率」及び「アッべ数」を示す。
【００６３】
「ｆ」は投射用レンズの全系の焦点距離、「Ｆ／Ｎｏ」は明るさを表すＦ値、「ω」は半画角、「ｏｂｄ」は物体（スクリーン）からレンズ第１面（第１レンズ群の最もスクリーン側のレンズ面）までの距離、「Ｂｆ」は空気中（プリズムのない状態）のバックフォーカスを表す。なお、長さの次元を持つ量の単位は特に断らない限り「ｍｍ」である。
【００６４】
非球面の形状は、光軸との交点を原点として、光軸に対する高さ：ｈ、光軸方向の変移：Ｚ、近軸曲率半径：Ｒ、円錐定数：Ｋ、高次項の非球面係数：Ａ、Ｂ、Ｃ、Ｄ、Ｅとして、周知の式：
Ｚ＝（１/Ｒ）・ｈ２/［１＋√{１−(１＋Ｋ)・（１/Ｒ）２・ｈ２}］
+Ａ・ｈ4+Ｂ・ｈ6+Ｃ・ｈ8+Ｄ・ｈ10+Ｅ・ｈ12
で表し、上記Ｒ、Ｋ、Ａ、Ｂ、Ｃ、Ｄ、Ｅを与えて形状を特定する。
【実施例１】
【００６５】
図１に、実施例１の投射用レンズのレンズ構成を示す。  
拡大側（図の左方）から第１レンズ群Ｉ、開口絞りＳＴ、第２レンズ群IIを配してなる。投射レンズと反射型パネルＲＰの間には、「ＰＢＳと色合成光学系を合わせた」プリズムＰが挿入されている。
【００６６】
ｆ＝８．５２７、Ｆ／Ｎｏ＝２．５、ω＝４１．８°、ｏｂｄ＝６９４、
Ｂｆ＝５３．３５６
Ｓ         Ｒ         Ｄ        Ｎｄ       νｄ
1     −675.118     6.400     1.49154     57.8
2        93.241     6.500 
3        45.000     3.200     1.72342     38.0
4        24.610    19.500
5      −81.193     2.400     1.48749     70.4
6        44.008    70.310
7       ∞(絞り)     4.190
8      −58.831     5.000     1.77250     49.6
9        15.850     6.250     1.59270     35.5
10     −97.160     0.370
11       34.300     4.990     1.80809     22.8
12    −113.222     4.410
13     −46.470     4.500     1.83500     43.0
14       48.974     7.420     1.48749     70.4
15     −19.888     0.450
16     −97.999     2.500     1.49154     57.8
17      109.212     0.300
18       58.455     8.170     1.49700     81.6
19     −18.050     1.500     1.80610     33.3
20       38.760     0.480
21       43.396     7.450     1.48749     70.4
22     −39.126     0.300
23       92.321     8.380     1.49700     81.6
24     −29.512     5.000
25        ∞       72.000     1.51680     64.2
26        ∞        0.987                            。
【００６７】
非球面
第１面
Ｋ＝−2993.6407、Ａ＝0.651265×10−5、Ｂ＝−0.467722×10−8、
Ｃ＝0.290651×10−11、Ｄ＝−0.112668×10−14、Ｅ＝0.196047×10−18
第２面
Ｋ＝0.395782、Ａ＝0.406642×10−5、Ｂ＝−0.25603×10−8、
Ｃ＝−0.992903×10−14、Ｄ＝0.287208×10−15、Ｅ＝−0.132122×10−19
第１６面
Ｋ＝30.933055、Ａ＝−0.576209×10−5、Ｂ＝0.239836×10−7、
Ｃ＝−0.201146×10−9、Ｄ＝0.134849×10−11、Ｅ＝−0.201298×10−14          。
【００６８】
各条件のパラメータの値
（１）Ｎ1−Ｎ2＝０．１７９８
（２）νII3＝２２．８
（３）θgF−(０．６４３８−０．００１６８２νII3)＝０．０２６
（４）Ｂｆ／ｆ＝６．２５７
（５）｜ｆ１／ｆ｜＝２．６８３
（６）｜ｆP／ｆ２｜＝２．６５６                                            。
【００６９】
実施例１の投射用レンズを縮小側で評価した球面収差、非点収差、歪曲収差の図を図２に、コマ収差の図を図３に示す。各収差図は、５５０ｎｍの波長を持つ緑色光：Ｇの収差を示すが、球面収差図、コマ収差図には赤の光：Ｒ、青の光：Ｂを代表して波長：６２０ｎｍと４６０ｎｍの収差も表示している。非点収差図におけるＳはサジタル像面、Ｍはメリディオナル像面の収差を示す。
【００７０】
倍率色収差の図は、５５０ｎｍを基準として、４００ｎｍから７００ｎｍの波長範囲を図４に示す。５割、７割、１０割の３つの像高について表示し、収差の値の単位はミクロンである。
【実施例２】
【００７１】
図５に、実施例２の投射用レンズのレンズ構成を、図１に倣って示す。
【００７２】
ｆ＝８．５７２、Ｆ／Ｎｏ＝２．５、ω＝４１．７°、ｏｂｄ＝７００、
Ｂｆ＝５２．０３７
Ｓ         Ｒ         Ｄ        Ｎｄ       νｄ
1    −4255.808     5.800     1.49154     57.8
2        94.241     6.500 
3        44.500     3.200     1.72342     38.0
4        21.750    18.500
5      −56.512     3.000     1.48749     70.4
6        63.990    61.800
7       ∞(絞り)     2.210
8      −66.251     5.000     1.75500     52.3
9        14.620     6.270     1.59270     35.5
10     −94.260     0.890
11       32.746     5.000     1.84666     23.8
12    −144.649     3.140
13     −50.885     3.610     1.83500     43.0
14       37.061     7.880     1.48749     70.4
15     −19.173     0.300
16     −85.099     2.500     1.49154     57.8
17      137.788     1.040
18      115.625     8.210     1.49700     81.6
19     −16.128     1.610     1.80610     33.3
20       40.583     0.500
21       46.963     8.439     1.48749     70.4
22     −31.039     0.300
23       93.801     9.290     1.49700     81.6
24     −29.091     5.000
25        ∞       70.000     1.51680     64.2
26        ∞        0.987                                    。
【００７３】
非球面
第１面
Ｋ＝−33835588030、Ａ＝0.862689×10−5、Ｂ＝−0.522652×10−8、
Ｃ＝0.292579×10−11、Ｄ＝−0.105813×10−14、Ｅ＝0.209939×10−18
第２面
Ｋ＝2.319705、Ａ＝0.555814×10−5、Ｂ＝−0.314258×10−8、
Ｃ＝−0.352251×10−12、Ｄ＝0.245925×10−15、Ｅ＝−0.145401×10−18
第１６面
Ｋ＝28.874395、Ａ＝−0.542325×10−5、Ｂ＝0.348419×10−7、
Ｃ＝−0.186021×10−9、Ｄ＝0.150667×10−11、Ｅ＝−0.276152×10−15          。
【００７４】
各条件のパラメータの値
（１）Ｎ1−Ｎ2＝０．１６２３
（２）νII3＝２３．８
（３）θgF−(０．６４３８−０．００１６８２νII3)＝０．０１４
（４）Ｂｆ／ｆ＝６．０７１
（５）｜ｆ１／ｆ｜＝２．５４２
（６）｜ｆP／ｆ２｜＝２．７７９
実施例２の投射用レンズを縮小側で評価した球面収差、非点収差、歪曲収差の図を図６に、コマ収差の図を図７に、倍率色収差の図を図８に示す。
【実施例３】
【００７５】
図９に、実施例３の投射用レンズのレンズ構成を、図１に倣って示す。
【００７６】
ｆ＝８．０１２、Ｆ／Ｎｏ＝２．５、ω＝４３．５°、ｏｂｄ＝６５０、
Ｂｆ＝５０．７００
Ｓ         Ｒ         Ｄ        Ｎｄ       νｄ
1     −411.185     6.400     1.49154     57.8
2        93.241     6.500 
3        45.000     3.640     1.72342     38.0
4        24.764    21.810
5      −90.360     3.000     1.49700     81.6
6        40.445    68.720
7       ∞(絞り)     0.570
8      −51.126     5.000     1.77250     49.6
9        16.506     5.830     1.59270     35.5
10     −76.403     0.300
11       33.987     5.000     1.75211     25.1
12     −76.007     5.510
13     −38.118     2.000     1.83500     43.0
14       57.087     7.130     1.48749     70.4
15     −19.031     1.650
16     −79.862     2.500     1.49154     57.8
17      406.376     0.300
18      131.419     7.280     1.49700     81.6
19     −18.060     3.560     1.80610     33.3
20       47.939     0.630
21       59.121     7.620     1.49700     81.6
22     −32.831     0.820
23       92.969     8.630     1.49700     81.6
24     −30.431     5.000
25        ∞       68.000     1.51680     64.2
26        ∞        0.962                                        。
【００７７】
非球面
第１面
Ｋ＝−1269.633、Ａ＝0.646642×10−5、Ｂ＝−0.471781×10−8、
Ｃ＝0.288715×10−11、Ｄ＝−0.113575×10−14、Ｅ＝0.187275×10−18
第２面
Ｋ＝0.775227、Ａ＝0.461252×10−5、Ｂ＝−0.293279×10−8、
Ｃ＝−0.200867×10−12、Ｄ＝0.240215×10−15、Ｅ＝0.353681×10−19
第１６面
Ｋ＝31.65228、Ａ＝−0.724794×10−5、Ｂ＝0.257597×10−7、
Ｃ＝−0.199252×10−9、Ｄ＝0.15029×10−11、Ｅ＝0.485537×10−15            。
【００７８】
各条件のパラメータの値
（１）Ｎ1−Ｎ2＝０．１７９８
（２）νII3＝２５．１
（３）θgF−(０．６４３８−０．００１６８２νII3)＝０．０１６
（４）Ｂｆ／ｆ＝６．３２８
（５）｜ｆ１／ｆ｜＝２．７０５
（６）｜ｆP／ｆ２｜＝３．５４２
実施例３の投射用レンズを縮小側で評価した球面収差、非点収差、歪曲収差の図を図１０に、コマ収差の図を図１１に、倍率色収差の図を図１２に示す。
【実施例４】
【００７９】
図１３に、実施例４の投射用レンズのレンズ構成を、図１に倣って示す。
【００８０】
ｆ＝８．００９、Ｆ／Ｎｏ＝２．５、ω＝４３．５°、ｏｂｄ＝６５０、
Ｂｆ＝５３．３６１
Ｓ         Ｒ         Ｄ        Ｎｄ       νｄ
1     −426.945     5.800     1.49154     57.8
2        93.241     6.500 
3        45.000     3.200     1.72342     38.0
4        25.123    20.400
5      −89.721     2.100     1.49700     81.6
6        41.377    70.450
7       ∞(絞り)     3.410
8      −57.202     5.000     1.77250     49.6
9        15.480     6.660     1.59270     35.5
10    −101.515     0.930
11       39.020     4.470     1.92286     20.9
12    −230.942     4.590
13     −55.089     4.480     1.83500     43.0
14       50.984     7.280     1.48749     70.4
15     −19.891     0.300
16     −97.773     2.500     1.49154     57.8
17      210.448     0.300
18       77.351     7.750     1.49700     81.6
19     −18.184     2.190     1.80610     33.3
20       38.871     0.490
21       43.751     7.420     1.48749     70.4
22     −39.141     0.320
23       92.323     8.460     1.49700     81.6
24     −29.169     5.000
25        ∞       72.000     1.51680     64.2
26        ∞        0.986                                        。
【００８１】
非球面
第１面
Ｋ＝−1555.7916、Ａ＝0.670656×10−5、Ｂ＝−0.473154×10−8、
Ｃ＝0.289595×10−11、Ｄ＝−0.112056×10−14、Ｅ＝0.199129×10−18
第２面
Ｋ＝1.114313、Ａ＝0.459977×10−5、Ｂ＝−0.2748×10−8、
Ｃ＝−0.866238×10−13、Ｄ＝0.283554×10−15、Ｅ＝0.276454×10−19
第１６面
Ｋ＝31.038295、Ａ＝−0.5659×10−5、Ｂ＝0.230742×10−7、
Ｃ＝−0.205065×10−9、Ｄ＝0.136584×10−11、Ｅ＝−0.201709×10−14          。
【００８２】
各条件のパラメータの値
（１）Ｎ1−Ｎ2＝０．１７９８
（２）νII3＝２０．９
（３）θgF−(０．６４３８−０．００１６８２νII3)＝０．０２８２
（４）Ｂｆ／ｆ＝６．６６３
（５）｜ｆ１／ｆ｜＝２．８０２
（６）｜ｆP／ｆ２｜＝３．５７２
実施例４の投射用レンズを縮小側で評価した球面収差、非点収差、歪曲収差の図を図１４に、コマ収差の図を図１５に、倍率色収差の図を図１６に示す。
【実施例５】
【００８３】
図１７に、実施例５の投射用レンズのレンズ構成を、図１に倣って示す。
【００８４】
実施例５においては、第２レンズ群は全て球面のレンズで構成されているが、収差図から分かるように良好な光学性能を有している。温度変化の比較的小さい環境で使用されることが前提で「温度によるピント位置の変化」に対して性能的に十分耐えうると判断される場合は、第２レンズ群に負のプラスチックレンズを搭載する必要がないので価格の安い投射用レンズが実現できる。
【００８５】
ｆ＝６．６８７、Ｆ／Ｎｏ＝２．５、ω＝４６．８°、ｏｂｄ＝５８５、
Ｂｆ＝３２．２８８
Ｓ         Ｒ         Ｄ        Ｎｄ       νｄ
1       417.151     5.000     1.49154     57.8
2        57.965     5.200 
3        36.817     2.800     1.77250     49.6
4        25.980    13.020
5     −235.980     2.100     1.62041     60.3
6        22.365    78.150
7       ∞(絞り)     0.300
8       133.375     1.300     1.74330     49.2
9        13.897     5.410     1.59270     35.5
10     −98.151     9.180
11       19.444     3.760     1.75520     27.5
12       25.420     2.760
13     −40.797     4.040     1.48749     70.4
14     −21.060     3.330
15       64.065     6.560     1.49700     81.6
16     −13.811     1.300     1.80610     33.3
17       32.885     0.600
18       48.170     5.190     1.48749     70.4
19     −38.244     0.300
20       38.531     6.120     1.49700     81.6
21     −35.341     5.000
22        ∞       40.000     1.51680     64.2
23        ∞        0.989                                        。
【００８６】
非球面
第１面
Ｋ＝71.043882、Ａ＝0.13487×10−4、Ｂ＝−0.157696×10−7、
Ｃ＝0.145349×10−10、Ｄ＝−0.792813×10−14、Ｅ＝0.223574×10−17
第２面
Ｋ＝0.648548、Ａ＝0.102198×10−4、Ｂ＝−0.102875×10−7、
Ｃ＝−0.660603×10−11、Ｄ＝0.170581×10−13、Ｅ＝−0.79222×10−17
条件のパラメータの値
（１）Ｎ1−Ｎ2＝０．１５０６
（２）νII3＝２７．５
（３）θgF−(０．６４３８−０．００１６８２νII3)＝０．０１０
（４）Ｂｆ／ｆ＝４．８２８
（５）｜ｆ１／ｆ｜＝２．８１１
実施例５の投射用レンズを縮小側で評価した球面収差、非点収差、歪曲収差の図を図１８に、コマ収差の図を図１９に、倍率色収差の図を図２０に示す。
【００８７】
上に挙げた実施例１〜５の投射用レンズは何れも、拡大側から縮小側に向かって、負の屈折力の第１レンズ群Ｉ、開口絞りＳＴ、正の屈折力の第２レンズ群IIを配してなり、縮小側にテレセントリックで、第２レンズ群IIは「拡大側から順に縮小側に大きな曲率を持つ第１の負レンズ、拡大側に大きな曲率を持つ第１の正レンズの２枚が張り合わされた接合レンズ、拡大側に大きな曲率を持つ第２の正レンズからなる構成」からはじまり、且つ、第２の正レンズよりも縮小側に、１または２枚のアッベ数の小さい負レンズがアッベ数がより大きい正レンズと張り合わせられた接合レンズ（実施例１〜４において接合レンズ２枚、実施例５において接合レンズ１枚）として配され、第１の負レンズの屈折率：Ｎ1、第１の正レンズの屈折率：Ｎ2、第２の正レンズのアッベ数：νII3が、条件：
（１）  ０．１３  ＜  Ｎ1−Ｎ2  ＜  ０．２０
（２）  １５  ＜  νII3  ＜  ３０
を満足している（請求項１）。
【００８８】
また、実施例１〜５の投射用レンズは、上記第３の正レンズのアッベ数：νII3、部分分散比：θgFが、条件：
（３）  ０  ＜θgF−(０．６４３８−０．００１６８２νII3)＜  ０．０４
を満足し（請求項２）、バックフォーカス：Ｂｆ、全系の焦点距離：ｆ、第１レンズ群の焦点距離：ｆ１が、条件：
（４）  ４．０  ＜  Ｂｆ／ｆ  ＜  ６．８
（５）  ２．４  ＜｜ｆ１／ｆ｜＜  ３．０
を満足している（請求項３）。
【００８９】
また、実施例１〜４の投射用レンズは、第２レンズ群IIに１枚の負のプラスチックレンズを含み、そのプラスチックレンズの焦点距離：ｆP、第２レンズ群の焦点距離：ｆ２が、条件：
（６）  ２．５  ＜｜ｆP／ｆ２｜＜  ５．０
を満足し（請求項４）、そのプラスチックレンズの面は非球面である（請求項５）。
【００９０】
実施例１〜５の投射用レンズは何れも、第１レンズ群Ｉが拡大側から順に、メニスカス形状で両面が非球面の第１の負レンズ、メニスカス形状の第２の負レンズから始まり（請求項６）、第１の負レンズの材料はプラスチックである（請求項７）。
【００９１】
また、実施例１〜５の投射用レンズは何れも第１レンズ群内の第１と第２の負レンズ間の空気層を通る主光線の光路長さが、像高の増加に従い大きくなっており（請求項８）、従って、白色光源の光を赤・緑・青の三つの光に分離し、それぞれ独立した３枚の反射型パネルへ導き、各反射型パネルから反射するこれら画像情報を持つ光を色合成光学系のプリズムにより合成し、透過型スクリーンの背面から拡大投射表示する周知のリアプロジェクタ等の投射型画像表示装置に上記実施例１〜５の投射用レンズを搭載することにより、高精細な画像を表示可能な投射型画像表示装置を実現できる（請求項９）。
【図面の簡単な説明】
【００９２】
【図１】実施例１のレンズ構成図である。
【図２】実施例１の球面収差、非点収差、歪曲収差を示す図である。
【図３】実施例１のコマ収差を示す図である。
【図４】実施例１の倍率色収差を示す図である。
【図５】実施例２のレンズ構成図である。
【図６】実施例２の球面収差、非点収差、歪曲収差を示す図である。
【図７】実施例２のコマ収差を示す図である。
【図８】実施例２の倍率色収差を示す図である。
【図９】実施例３のレンズ構成図である。
【図１０】実施例３の球面収差、非点収差、歪曲収差を示す図である。
【図１１】実施例３のコマ収差を示す図である。
【図１２】実施例３の倍率色収差を示す図である。
【図１３】実施例４のレンズ構成図である。
【図１４】実施例４の球面収差、非点収差、歪曲収差を示す図である。
【図１５】実施例４のコマ収差を示す図である。
【図１６】実施例４の倍率色収差を示す図である。
【図１７】実施例５のレンズ構成図である。
【図１８】実施例５の球面収差、非点収差、歪曲収差を示す図である。
【図１９】実施例５のコマ収差を示す図である。
【図２０】実施例５の倍率色収差を示す図である。
【図２１】請求項８記載の第１レンズ群で、プラスチックレンズとそれに隣り合うレンズ面間で一度反射し、スクリーンへ向かう光線を示す図である。
【図２２】請求項８記載の条件を満たさない第１レンズ群で、プラスチックレンズとそれに隣り合うレンズ面間で一度反射し、スクリーンへ向かう光線を示す図である。
【符号の説明】
【００９３】
Ｉ    第１レンズ群
II    第２レンズ群
ＳＴ  開口絞り  
Ｐ    ＰＢＳと色合成光学系を合わせたプリズム
ＲＰ  反射型パネル
【図１】
2006243019.tif 000003
【図２】
2006243019.tif 000004
【図３】
2006243019.tif 000005
【図４】
2006243019.tif 000006
【図５】
2006243019.tif 000007
【図６】
2006243019.tif 000008
【図７】
2006243019.tif 000009
【図８】
2006243019.tif 000010
【図９】
2006243019.tif 000011
【図１０】
2006243019.tif 000012
【図１１】
2006243019.tif 000013
【図１２】
2006243019.tif 000014
【図１３】
2006243019.tif 000015
【図１４】
2006243019.tif 000016
【図１５】
2006243019.tif 000017
【図１６】
2006243019.tif 000018
【図１７】
2006243019.tif 000019
【図１８】
2006243019.tif 000020
【図１９】
2006243019.tif 000021
【図２０】
2006243019.tif 000022
【図２１】
2006243019.tif 000023
【図２２】
2006243019.tif 000024